(57)【要約】  本発明は、ハンドオーバを実行した移動機を収容した場合に、ハンドオーバ元基地局から移動機宛の未送信データパケットを基地局間転送パケットとして受信する基地局であって、シーケンス番号の付与されたデータパケットおよび基地局間転送パケットを保持するためのデータ受信部（２１−２）と、データ受信部（２１−２）が基地局間転送パケットを保持している場合に、シーケンス番号順にすべての基地局間転送パケットを読み出し、その後、データパケットを受信順に読み出す読出制御部（２２−２）と、読出制御部（２２−２）が読み出した基地局間転送パケットおよびデータパケットを宛先移動機へ送信するパケット送信手段と、を備え、読出制御部（２２−２）は、すべての基地局間転送パケットを読み出したか否かをシーケンス番号に基づいて判定することとした。
2008065823.tif 000002
【特許請求の範囲】
【請求項１】
ハンドオーバを実行した移動機を収容した場合に、ハンドオーバ元基地局から当該移動機宛の未送信データパケットを基地局間転送パケットとして受信する基地局であって、
シーケンス番号の付与されたデータパケットおよび基地局間転送パケットを保持するためのパケット保持手段と、
前記パケット保持手段が基地局間転送パケットを保持している場合に、シーケンス番号順にすべての基地局間転送パケットを読み出し、その後、データパケットを受信順に読み出すパケット読み出し手段と、
前記パケット読み出し手段が読み出した基地局間転送パケットおよびデータパケットを宛先移動機へ送信するパケット送信手段と、
を備え、
前記パケット読み出し手段は、すべての基地局間転送パケットを読み出したか否かをシーケンス番号に基づいて判定することを特徴とする基地局。
【請求項２】
前記パケット読み出し手段は、読み出した基地局間転送パケットに付与されているシーケンス番号と、前記パケット保持手段が前記移動機宛のデータパケットとして最初に受信したデータパケットに付与されているシーケンス番号と、を比較し、当該基地局間転送パケットに付与されているシーケンス番号が当該データパケットに付与されているシーケンス番号の１つ前である場合に、すべての基地局間転送パケットを読み出したものと判定することを特徴とする請求項１に記載の基地局。
【請求項３】
前記パケット保持手段が、さらに、
前記移動機宛のデータパケットを最初に受信した時点で計時を開始し、所定時間内に当該移動機宛の基地局間転送パケットを受信した場合に再計時を開始し、以降、前記所定時間内に当該移動機宛の基地局間転送パケットを受信する度に計時を繰り返すタイマを備え、
前記パケット読み出し手段は、前記タイマが前記所定時間に達した場合、データパケットを受信順に読み出すことを特徴とする請求項１に記載の基地局。
【請求項４】
前記パケット保持手段が、さらに、
前記移動機宛のデータパケットを最初に受信した時点で計時を開始し、所定時間内に当該移動機宛の基地局間転送パケットを受信した場合に再計時を開始し、以降、前記所定時間内に当該移動機宛の基地局間転送パケットを受信する度に計時を繰り返すタイマを備え、
前記パケット読み出し手段は、前記タイマが前記所定時間に達した場合、データパケットを受信順に読み出すことを特徴とする請求項２に記載の基地局。
【請求項５】
シーケンス番号の付与されたデータパケットをその宛先移動機を収容している基地局へ配信する基地局制御装置と、ハンドオーバを実行した移動機を収容した場合に、ハンドオーバ元基地局から当該移動機宛の未送信データパケットを基地局間転送パケットとして受信する基地局と、を含んだ無線通信システムであって、
前記基地局制御装置が、
ハンドオーバを実行した移動機宛のデータパケットをハンドオーバ先基地局へ送信する場合、ハンドオーバ元基地局へ最後に送信した当該移動機宛のデータパケットと同じデータパケットを最初に送信後、当該データパケットに続く当該移動機宛のデータパケットを送信するデータパケット送信手段、
を備え、
前記基地局が、
データパケットおよび基地局間転送パケットを保持するためのパケット保持手段と、
前記パケット保持手段が基地局間転送パケットを保持している場合に、シーケンス番号順にすべての基地局間転送パケットを読み出し、その後、データパケットを受信順に読み出すパケット読み出し手段と、
前記パケット読み出し手段が読み出した基地局間転送パケットおよびデータパケットを宛先移動機へ送信するパケット送信手段と、
を備え、
前記パケット読み出し手段は、すべての基地局間転送パケットを読み出したか否かをシーケンス番号に基づいて判定することを特徴とする無線通信システム。
【請求項６】
前記パケット読み出し手段は、読み出した基地局間転送パケットに付与されているシーケンス番号と、前記パケット保持手段が前記移動機宛のデータパケットとして最初に受信したデータパケットに付与されているシーケンス番号と、を比較し、当該基地局間転送パケットに付与されているシーケンス番号が当該データパケットに付与されているシーケンス番号と同じである場合に、すべての基地局間転送パケットを読み出したものと判定することを特徴とする請求項５に記載の無線通信システム。
【請求項７】
シーケンス番号の付与されたデータパケットをその宛先移動機を収容している基地局へ配信する基地局制御装置と、ハンドオーバを実行した移動機を収容した場合に、ハンドオーバ元基地局から当該移動機宛の未送信データパケットを基地局間転送パケットとして受信する基地局と、を含んだ無線通信システムであって、
前記基地局制御装置が、
ハンドオーバを実行した移動機宛のデータパケットをハンドオーバ先基地局へ送信する場合、ハンドオーバ元基地局へ最後に送信した当該移動機宛のデータパケットを所定回数再送し、再送終了後、当該データパケットに続く当該移動機宛のデータパケットをハンドオーバ先の基地局へ送信するデータパケット送信手段、
を備え、
前記基地局が、
データパケットおよび基地局間転送パケットを保持するためのパケット保持手段と、
前記パケット保持手段が基地局間転送パケットを保持している場合に、シーケンス番号順にすべての基地局間転送パケットを読み出し、その後、データパケットを受信順に読み出すパケット読み出し手段と、
前記パケット読み出し手段が読み出した基地局間転送パケットおよびデータパケットを宛先移動機へ送信するパケット送信手段と、
を備え、
前記パケット読み出し手段は、読み出す必要のあるすべての基地局間転送パケットを読み出したか否かをシーケンス番号に基づいて判定することを特徴とする無線通信システム。
【請求項８】
前記パケット読み出し手段は、読み出した基地局間転送パケットと同じシーケンス番号が付与されている基地局間転送パケットを前記パケット保持手段がさらに保持しているかどうかを確認し、同じシーケンス番号が付与されている基地局間転送パケットを保持している場合に、読み出す必要のあるすべての基地局間転送パケットを読み出したものと判定することを特徴とする請求項７に記載の無線通信システム。
【請求項９】
前記パケット保持手段が、さらに、
前記移動機宛のデータパケットを最初に受信した時点で計時を開始し、所定時間内に当該移動機宛の基地局間転送パケットを受信した場合に再計時を開始し、以降、前記所定時間内に当該移動機宛の基地局間転送パケットを受信する度に計時を繰り返すタイマを備え、
前記パケット読み出し手段は、前記タイマが前記所定時間に達した場合、データパケットを受信順に読み出すことを特徴とする請求項５に記載の無線通信システム。
【請求項１０】
前記パケット保持手段が、さらに、
前記移動機宛のデータパケットを最初に受信した時点で計時を開始し、所定時間内に当該移動機宛の基地局間転送パケットを受信した場合に再計時を開始し、以降、前記所定時間内に当該移動機宛の基地局間転送パケットを受信する度に計時を繰り返すタイマを備え、
前記パケット読み出し手段は、前記タイマが前記所定時間に達した場合、データパケットを受信順に読み出すことを特徴とする請求項６に記載の無線通信システム。
【請求項１１】
前記パケット保持手段が、さらに、
前記移動機宛のデータパケットを最初に受信した時点で計時を開始し、所定時間内に当該移動機宛の基地局間転送パケットを受信した場合に再計時を開始し、以降、前記所定時間内に当該移動機宛の基地局間転送パケットを受信する度に計時を繰り返すタイマを備え、
前記パケット読み出し手段は、前記タイマが前記所定時間に達した場合、データパケットを受信順に読み出すことを特徴とする請求項７に記載の無線通信システム。
【請求項１２】
前記パケット保持手段が、さらに、
前記移動機宛のデータパケットを最初に受信した時点で計時を開始し、所定時間内に当該移動機宛の基地局間転送パケットを受信した場合に再計時を開始し、以降、前記所定時間内に当該移動機宛の基地局間転送パケットを受信する度に計時を繰り返すタイマを備え、
前記パケット読み出し手段は、前記タイマが前記所定時間に達した場合、データパケットを受信順に読み出すことを特徴とする請求項８に記載の無線通信システム。
【発明の詳細な説明】
【技術分野】
【０００１】
本発明は、無線通信システムにおいて移動機が通信中の基地局を切り替えるハンドオーバに関するものであり、特に、ハンドオーバを実行した移動機宛のユーザデータパケットであって、当該移動機へ送信していないユーザデータパケットをハンドオーバ元からハンドオーバ先へ転送するハンドオーバ実行時の処理遅延を削減する基地局および無線通信システムに関するものである。
【背景技術】
【０００２】
以下、従来の無線通信システムにおけるハンドオーバ方法について説明する。例えば、従来の無線通信システムにおける無線アクセスネットワークでは、移動機は複数の基地局が作るセルと呼ばれる通信エリアの間を移動しながら基地局との通信を行う。そして、移動機がセル境界付近へ到達し無線通信品質が劣化して基地局との通信の継続が困難になると無線通信品質のより良い基地局へのハンドオーバを行う。このハンドオーバ実施前後を通してユーザデータ（データパケット）のロスを防止するための方法として、ハンドオーバ実施前に移動機へ送信できずにハンドオーバ元基地局内に残留してしまったデータパケットをハンドオーバ元基地局がハンドオーバ先基地局へ転送し、ハンドオーバ先基地局から改めて移動機へ送信するパケット転送ハンドオーバ方法がある。このパケット転送ハンドオーバ方法では、ハンドオーバ先基地局から移動機へパケットを送信する順序を保証するため、ハンドオーバ先基地局は、ハンドオーバ元基地局から転送された最後のデータパケット（以降、最終基地局間転送パケットと呼ぶ）を識別し、これを移動機へ送信した後に上位ノードから直接受信したデータパケットの送信を開始する。このときハンドオーバ先基地局が最終基地局間転送パケットを識別する方法として、ハンドオーバ元基地局が制御メッセージに最終基地局間転送パケットを特定する情報（例えば個々のデータパケットに付与されるシーケンス番号）を格納してハンドオーバ先基地局へ通知するという方法がある（たとえば下記特許文献１）。しかしながら、この方法では制御メッセージを処理するための時間だけ全体のハンドオーバ制御時間が大きくなるという問題があり、これを解決するための方法として制御メッセージの代わりに通知用パケットを用いて最終基地局間転送パケットを特定するための情報をハンドオーバ先基地局へ通知する方法が開示されている（たとえば下記特許文献２）。【０００３】
【特許文献１】特開平０９−１８６７０４号公報
【特許文献２】特表２００１−５００６７５号公報
【発明の開示】
【発明が解決しようとする課題】
【０００４】
無線通信システムの基地局では送受信する種々のデータを効率的に処理するため、装置の動作を制御するために各装置間でやり取りされる制御データと移動機などのユーザ端末が送受信するユーザデータとを区別して別々の処理系統で扱っている。そして、基地局はデータパケットを受信した際には制御データであるかユーザデータであるかを判定してそのデータ種別に応じて処理系統の振り分けを行っている。【０００５】
また、上述したように従来のパケット転送ハンドオーバ方式では最終基地局間転送パケットをハンドオーバ先基地局で識別することを可能とするため、最終基地局間転送パケットを特定するための情報を格納し通知するための通知用パケットを新たに生成してハンドオーバ先基地局へ送信する。このときハンドオーバ先基地局では受信したデータパケットに対して制御データであるかユーザデータであるかの判定の他にユーザデータであるか通知用データ（通知用パケット）であるかの判定も行う必要がある。【０００６】
そのため、上記従来のハンドオーバ方法を実現するためには、ハンドオーバ元基地局は通知用データを新たに生成し通知用パケットに格納して送信する機能の追加が必要となり、また、ハンドオーバ先基地局では前記通知用データを識別してユーザデータと区別して処理する機能の追加が必要となるため、基地局の回路規模の増大および処理遅延の増加を招く、という問題があった。【０００７】
本発明は、上記に鑑みてなされたものであって、ハンドオーバを実行した移動機宛の未送信データパケットをハンドオーバ元基地局からハンドオーバ先基地局へ転送するハンドオーバ処理においてハンドオーバ実行時の処理遅延を削減することが可能な基地局および無線通信システムを得ることを目的とする。【０００８】
また、前記ハンドオーバ実行時の処理遅延を削減することが可能な基地局および無線通信システムを回路規模の増大を抑えつつ実現することを目的とする。
【課題を解決するための手段】
【０００９】
上述した課題を解決し、目的を達成するために、本発明は、ハンドオーバを実行した移動機を収容した場合に、ハンドオーバ元基地局から当該移動機宛の未送信データパケットを基地局間転送パケットとして受信する基地局であって、シーケンス番号の付与されたデータパケットおよび基地局間転送パケットを保持するためのパケット保持手段と、前記パケット保持手段が基地局間転送パケットを保持している場合に、シーケンス番号順にすべての基地局間転送パケットを読み出し、その後、データパケットを受信順に読み出すパケット読み出し手段と、前記パケット読み出し手段が読み出した基地局間転送パケットおよびデータパケットを宛先移動機へ送信するパケット送信手段と、を備え、前記パケット読み出し手段は、すべての基地局間転送パケットを読み出したか否かをシーケンス番号に基づいて判定することを特徴とする。
【発明の効果】
【００１０】
この発明によれば、ハンドオーバ先基地局は、基地局制御装置から直接受信した最初のデータパケットに付与されているシーケンス番号と基地局間転送パケットに付与されているシーケンス番号を比較することによって最終基地局間転送パケットを識別し、最終基地局間転送パケットを識別した場合には、すべての基地局転送パケットを移動機へ送信したと判断して基地局制御装置から直接受信したデータパケットの移動機への送信を開始するようにしたので、基地局間転送されたデータパケットが通知用パケット（最終基地局間転送パケットを特定するための情報を格納したパケット）か否かをハンドオーバ先基地局において識別する必要がなくなり、回路規模の増大を抑えつつハンドオーバ実行時の処理遅延を削減することができる、という効果を奏する。
【図面の簡単な説明】
【００１１】
【図１】図１は、本発明にかかる基地局を備えた無線アクセスネットワークの構成例を示す図である。
【図２】図２は、実施の形態１の無線アクセスネットワークを構成する基地局制御装置、基地局および移動機の構成例とデータ伝送経路を示す図である。
【図３】図３は、基地局を構成するデータ受信部の内部構成例を示す図である。
【図４】図４は、ハンドオーバ動作の一例を示すシーケンス図である。
【図５−１】図５−１は、ハンドオーバ時におけるデータパケットの送信動作を説明するための図である。
【図５−２】図５−２は、ハンドオーバ時におけるデータパケットの送信動作を説明するための図である。
【図５−３】図５−３は、ハンドオーバ時におけるデータパケットの送信動作を説明するための図である。
【図５−４】図５−４は、ハンドオーバ時におけるデータパケットの送信動作を説明するための図である。
【図５−５】図５−５は、ハンドオーバ時におけるデータパケットの送信動作を説明するための図である。
【図５−６】図５−６は、ハンドオーバ時におけるデータパケットの送信動作を説明するための図である。
【図６】図６は、実施の形態２の無線アクセスネットワークを構成する各装置の構成例とデータ伝送経路を示す図である。
【図７−１】図７−１は、実施の形態２の無線アクセスネットワークにおけるハンドオーバ時のデータパケットの送信動作を説明するための図である。
【図７−２】図７−２は、実施の形態２の無線アクセスネットワークにおけるハンドオーバ時のデータパケットの送信動作を説明するための図である。
【図８】図８は、実施の形態３の無線アクセスネットワークを構成する各装置の構成例とデータ伝送経路を示す図である。
【図９−１】図９−１は、実施の形態３の無線アクセスネットワークにおけるハンドオーバ時のデータパケットの送信動作を説明するための図である。
【図９−２】図９−２は、実施の形態３の無線アクセスネットワークにおけるハンドオーバ時のデータパケットの送信動作を説明するための図である。
【図１０】図１０は、実施の形態４の無線アクセスネットワークを構成する各装置の構成例とデータ伝送経路を示す図である。
【図１１】図１１は、実施の形態４の基地局を構成するデータ受信部の内部構成例を示す図である。
【符号の説明】
【００１２】
１，１ａ，１ｂ  基地局制御装置
２−１，２−２，２−ｎ，２ａ−１，２ａ−２，２ｂ−１，２ｂ−２，２ｃ−１，２ｃ−２  基地局
３  移動機
４−１，４−２，４−ｎ  セル
５  有線伝送路
６  基地局間転送経路
１１，１１ａ，１１ｂ  データ送信部
１２  経路切替制御部
２１−１，２１−２，２１ｃ−１，２１ｃ−２  データ受信部
２２−１，２２−２，２２ａ−１，２２ａ−２，２２ｂ−１，２２ｂ−２，２２ｃ−１，２２ｃ−２  読出制御部
２３−１，２３−２  無線送信部
２４−１，２４−２  ハンドオーバ制御部
２５−１，２５−２  パケット転送部
３１  無線受信部
３２  ハンドオーバ制御部
【発明を実施するための最良の形態】
【００１３】
以下に、本発明にかかる基地局および無線通信システムの実施の形態を図面に基づいて詳細に説明する。なお、この実施の形態によりこの発明が限定されるものではない。【００１４】
実施の形態１．
図１は、本発明にかかる基地局を備えた無線アクセスネットワーク（無線通信システム）の構成例を示す図である。図１において、１は接続された上位ネットワーク（図示せず）から受信したデータを無線アクセスネットワーク内の各基地局へ分配する基地局制御装置、２−１〜２−ｎは前記基地局制御装置１から有線伝送路を介して受信したデータを無線伝送路へ送出すると共に移動機から受信した無線品質情報に基づいてハンドオーバ実施要否の判定を行う基地局、３は前記基地局２−１〜２−ｎとの間で無線伝送路を介して通信を行う移動機、４−１〜４−ｎは前記基地局２−１〜２−ｎが前記移動機３と無線伝送路を介して通信するために通信エリアとして形成するセルである。また、５は基地局制御装置１とこの基地局制御装置１により制御される各基地局２−１〜２−ｎとを接続する有線伝送路である。【００１５】
ここで、本発明にかかる基地局を備えた無線アクセスネットワークにおいて移動機がハンドオーバを実行する場合の各部の動作について図２および図３を用いて説明する。ここでは、図１に示した無線アクセスネットワークにおいて基地局２−１配下（セル４−１）に収容された移動機３が基地局２−２配下（セル４−２）へ移動する場合のハンドオーバ動作を説明する。【００１６】
図２は、図１に示した無線アクセスネットワークを構成する基地局制御装置、基地局および移動機の構成例とデータ伝送経路を示す図であり、図内の点線はハンドオーバ後のデータ伝送経路を示すものである。【００１７】
図２に示したように、基地局制御装置１は、上記ネットワークから受信したユーザデータパケット（以下、データパケットと記載する）をその宛先移動機を収容している基地局へ配信するデータ送信部１１およびデータ送信部１１を制御しデータパケットの送信経路（配信先）を切り替える経路切替制御部１２を備える。【００１８】
各基地局（基地局２−１，２−２）は、基地局制御装置１から送信されたデータパケットまたは他の基地局から転送されたデータパケットを受信し、保持しておくデータ受信部（２１−１，２１−２）と、データ受信部からデータパケットを読み出し、それを配下の移動機（宛先移動機）へ送信する経路または他の基地局へ転送する経路に振り分ける読出制御部（２２−１，２２−２）と、読出制御部から受け取ったデータパケットを配下の宛先移動機へ送信する無線送信部（２３−１，２３−２）と、移動機から通知される無線通信品質に基づいて当該移動機をハンドオーバさせるかどうかを判断するハンドオーバ制御部（２４−１，２４−２）と、読出制御部から受け取ったデータパケットをその宛先移動機のハンドオーバ先基地局へ転送するパケット転送部（２５−１，２５−２）とを備える。なお、データ受信部がパケット保持手段に相当し、読出制御部がパケット読み出し手段に相当する。また、無線送信部がパケット送信手段に相当する。【００１９】
移動機３は、基地局から送信されたデータパケットなどを受信する無線受信部３１およびハンドオーバ動作の制御を行うハンドオーバ制御部３２を備える。【００２０】
なお、基地局の読出制御部は、データ受信部が他の基地局から転送されてきたデータパケット（以下、基地局間転送パケットと記載する）を保持していない場合には、データ受信部がデータパケットを受信した順番と同じ順番でデータパケットを読み出す。一方、他の基地局から転送されてきた基地局間転送パケットを保持している場合には、基地局間転送パケットを先に読み出し、基地局間転送パケットを全て読み出した後に、基地局制御装置１から直接受信したデータパケットを読み出す。【００２１】
また、図３は、基地局を構成するデータ受信部（データ受信部２１−１，２１−２）の内部構成例を示す図である。図３において、２１１は受信したデータパケット（基地局制御装置１から直接受信したデータパケットおよび他の基地局から転送されてきた基地局間転送パケット）を一旦格納するバッファである。２１２は受信したデータパケットのバッファ２１１内での格納位置と共に当該ユーザデータに付与されているシーケンス番号を記憶し管理するシーケンス番号管理部である。【００２２】
基地局制御装置１は上位ネットワークから受信した移動機３宛のデータパケットを有線伝送路５で接続されている基地局２−１〜２−ｎのうち、移動機３が通信している基地局２−１に対してデータ送信部１１から送信する。このとき移動機３以外に基地局２−１に接続されている他の移動機が存在する場合には、他の移動機宛のデータパケットについても基地局制御装置１から基地局２−１へ同様に送信する。また、ここで基地局２−１へ送信されるデータパケットには送信順序に従ってシーケンス番号が付与されているものとする。なお、ここではシーケンス番号が０〜６３で一巡するよう付与されるものとして説明を行う。【００２３】
移動機３がハンドオーバを実行する前に通信を行っている基地局２−１においては、データ受信部２１−１が基地局制御装置１から受信した前記移動機３宛データパケットを一旦内部のバッファ２１１に格納すると共にデータパケットに付与されているシーケンス番号を管理するために、当該ユーザパケットのバッファ２１１内の格納位置とシーケンス番号を組み合わせてシーケンス番号管理部２１２へ登録する。読出制御部２２−１はデータ受信部２１−１のシーケンス番号管理部２１２で管理されている情報を参照し、バッファ２１１へ格納された各データパケットを、付与されているシーケンス番号に従った順番でデータ受信部２１−１（バッファ２１１）から読み出して無線送信部２３−１へ送出する。無線送信部２３−１は読出制御部２２−１から受け取ったユーザデータを無線伝送用の信号に変換し、無線伝送路を介して配下（セル４−１内）の移動機３へ送信する。【００２４】
移動機３において、無線受信部３１は基地局２−１からの無線伝送データを受信すると、その受信信号の受信品質情報（たとえば受信電力レベル情報）をハンドオーバ制御部３２へ送出する。ハンドオーバ制御部３２は無線受信部３１から受け取った受信品質情報からハンドオーバ要否判定に必要な情報についての測定を行う。ここでは、たとえば所定期間内に受け取った受信品質情報を平均化する。そして、上記測定結果を含んだ無線品質情報を制御用メッセージに格納して基地局２−１へ通知する。なお、制御用メッセージは、移動機３の図示していない無線送信部および基地局２−１の図示していない無線受信部を介して基地局２−１のハンドオーバ制御部２４−１へ通知される。基地局２−１および２−２から基地局制御部１へ通知される制御メッセージも同様に、図示していない基地局内のデータ送信部および基地局制御装置内のデータ受信部を介して通知される。【００２５】
また、ハンドオーバ制御部３２は、必要に応じてデータ伝送中の基地局２−１以外の基地局から受信した制御用信号の品質（たとえば受信電力レベル）に関する情報も併せて上記無線品質情報に含めて基地局２−１へ通知する。これにより、基地局２−１はハンドオーバ実行時のハンドオーバ先基地局を特定することができる。【００２６】
基地局２−１においては、移動機３から受信した前記制御メッセージ内に格納された無線品質情報に基づいてハンドオーバ制御部２４−１がハンドオーバ要否の判定を行い、判定結果を読出制御部２２−１へ通知する。なお、ハンドオーバが必要と判定した場合にはハンドオーバ処理の開始を示すハンドオーバ要求をハンドオーバ先基地局である基地局２−２へ送出する。なお、ハンドオーバ制御部２４−１は、たとえば上記無線品質情報に含まれる基地局２−１以外の基地局からの受信信号品質に関する情報を使用してハンドオーバ先基地局を決定する。その後ハンドオーバ制御部２４−１は、基地局２−２から上記ハンドオーバ要求に対する応答メッセージを受信すると、移動機３に対してハンドオーバ処理の開始を指示するハンドオーバ指示を送出する。【００２７】
読出制御部２２−１は、通知された前記判定結果がハンドオーバ不要を示すものであれば、上述したデータ受信部２１−１から読み出したデータパケットを無線送信部２３−１へ送出する動作を継続する。一方、判定結果がハンドオーバ実施を示す場合にはデータ受信部２１−１から読み出したハンドオーバ対象データパケット（ハンドオーバを実施する移動機３宛のパケット）をパケット転送部２５−１へ送出する。パケット転送部２５−１は基地局間転送経路６を介して読出制御部２２−１から受信したデータパケットを基地局間転送パケットとしてハンドオーバ先基地局である基地局２−２へ送出する。なお、データ受信部２１−１が移動機３宛のデータパケットを複数保持している場合、読出制御部２２−１は、それらすべてを基地局間転送パケットとして基地局２−２へ送出するまでパケット転送部２５−１へ送出する動作を継続する。また、上記基地局間転送経路６は基地局間を直接有線伝送路で接続して実現しても良いし図１に示した有線伝送路５を用いて基地局制御装置１を経由して実現しても良い。【００２８】
基地局制御装置１においては、経路切替制御部１２がハンドオーバ先基地局である基地局２−２のハンドオーバ制御部２４−２から経路切替要求メッセージを受信するまで、データ送信部１１は基地局２−１へのデータ送信を継続する。ハンドオーバ制御部２４−２から経路切替要求メッセージを受信した場合、経路切替制御部１２はハンドオーバ対象ユーザのデータパケット（この例では移動機３宛のデータパケット）を基地局２−２へ送出するようにデータ送信先（パケット伝送経路）を制御する。【００２９】
ハンドオーバ先基地局である基地局２−２においては、移動機３が自局配下のセル４−２へ移動し、伝送経路の切り替えが終了すると、その旨を基地局制御装置１へ通知する。その後、基地局制御装置１における移動機３宛のデータパケット伝送経路の切り替えが終了すると、データ受信部２１−２はハンドオーバ元基地局２−１から受信した基地局間転送パケットおよび基地局制御装置１から直接受信したデータパケットを受信し、受信したパケットを内部のバッファ２１１へ格納することにより保持しておく。このとき、基地局間でパケットを転送する際の処理時間によって、各パケット（基地局制御装置１から直接受信したデータパケットおよび基地局間転送パケットとして受信したデータパケット）がデータ受信部２１−２のバッファ２１１へ格納される順序は基地局制御装置１が送信した順序と同じになるとは限らない。そのため、読出制御部２２−２はデータパケットの順序逆転を防止するため基地局間転送パケットを先に読み出すよう動作する。具体的には、基地局間転送パケットおよびデータパケットに付与されているシーケンス番号に基づいて、全ての基地局間転送パケットの読み出しが終了したかどうかを判定し、読み出しが終了したと判定すると、基地局制御装置１から直接受信したデータパケットの読み出しを開始する。【００３０】
ここで、全ての基地局間転送パケットの読み出しが終了したかどうかを読出制御部２２−２が判定する方法について説明する。読出制御部２２−２は、シーケンス番号管理部２１２が管理している情報を参照して基地局制御装置１から直接受信した最初のデータパケットに付与されているシーケンス番号と基地局間転送パケットに付与されているシーケンス番号とを比較する。比較を行った結果、基地局制御装置１から直接受信した最初のデータパケットに付与されているシーケンス番号より一つ前のシーケンス番号を検出した場合にこの基地局間転送パケットが最終基地局間転送パケットであると判断する。読出制御部２２−２は、最終基地局間転送パケットと判断した基地局間転送パケットを無線送信部２３−２へ渡すと全ての基地局間転送パケットの読み出しが完了したと認識する。そして、基地局制御装置１から直接受信したデータパケットの読み出し動作を開始する。【００３１】
すなわち、基地局２−２（ハンドオーバ先基地局）は、基地局制御装置１から直接受信した最初のデータパケットに付与されているシーケンス番号より一つ前のシーケンス番号が付与された基地局間転送パケットを最終基地局間転送パケットとしてその宛先である移動機３へ送信し、以後、基地局制御装置１から直接受信し、保持しておいたデータパケットを基地局制御装置１から送信された順番と同じ順番で（受信した順番どおりに）移動機３へ送信する。【００３２】
なお、前記読出制御部２２−２がデータ受信部２１−２内に格納されているデータに対して基地局間転送パケットと基地局制御装置１から直接受信したデータパケットのいずれであるかを区別する方法として、格納するバッファ２１１のアドレス領域を分割する、または物理的に個別のメモリを設けるなどデータ受信部２１−２内における格納領域を予め分離しておいても良いし、格納データに送信元装置を表すフラグを付与することによっていずれのデータパケットであるかを識別するようにしても良い。【００３３】
次に、ハンドオーバ時のデータパケット伝送の様子について図４および図５−１〜５−６を用いて説明する。図４は、ハンドオーバ動作の一例を示すシーケンス図である。図５−１〜５−６は、ハンドオーバ時におけるデータパケットの送信動作を説明するための図である。なお、図４において実線矢印は各装置の動作を制御するための制御用メッセージの送受信を示し、白抜き矢印はユーザデータの送受信を示すものとする。また、図５−１〜５−６において、実線矢印はその時点で有効となっているデータ伝送経路を示し、点線矢印はその時点では無効なデータ伝送経路を示すものとし、この実線と点線の切り替えによってハンドオーバ前後のデータ伝送経路の切り替えを表すものとする。【００３４】
初め基地局制御装置１と移動機３は基地局２−１を介してユーザデータの送受信を行っており、その後移動機３が基地局２−２により管理されるセル４−２へ向かって移動する。そしてセル境界へ到達し、基地局２−１との間の無線通信品質が劣化すると、移動機３は、その旨を示す無線品質情報を基地局２−１へ送信する（ステップＳ１１）。無線通信品質劣化の通知を受けた基地局２−１ではハンドオーバ制御部２４−１がハンドオーバの実施を決定し（ステップＳ１２）、移動機３へのユーザデータ送信を停止すると共に基地局２−２へハンドオーバ要求メッセージを送出する（ステップＳ１３）。図５−１は、この時点までに基地局制御装置１から移動機３宛に送信されたデータパケットの様子の一例を示し、この例ではシーケンス番号が＃５６のデータパケットまでを基地局２−１が移動機３に対して送信完了していることを示している。【００３５】
基地局２−２ではハンドオーバ制御部２４−２が前記ハンドオーバ要求メッセージを受信したことを認識すると、その応答としてハンドオーバ要求応答メッセージを基地局２−１へ返送する（ステップＳ１４）。【００３６】
基地局２−１のハンドオーバ制御部２４−１は、前記ハンドオーバ要求応答メッセージを受信するとハンドオーバ実施を判定した時点で移動機３への送信が完了していないデータパケットの基地局間転送を開始するように読出制御部２２−１へ指示を行い、基地局間転送を開始する（ステップＳ１５）。さらにハンドオーバ制御部２４−１は、これと並行して移動機３へハンドオーバ指示メッセージを送出する（ステップＳ１６）。【００３７】
基地局間転送を開始した読出制御部２２−１は、データ受信部２１−１内に残留している移動機３宛のデータパケットを読み出してパケット転送部２５−１へ送出し、パケット転送部２５−１は、読出制御部２２−１から受け取ったデータパケットを基地局間転送パケットとして基地局２−２へ送出する。【００３８】
一方、前記ハンドオーバ指示メッセージを受信した移動機３のハンドオーバ制御部３２は、無線伝送を行う経路を基地局２−１から基地局２−２へ切り替えるよう無線受信部３１へ指示して無線伝送経路を切り替える（ステップＳ１７）。そして、ハンドオーバ制御部３２は、伝送経路の切り替えが完了すると、その旨を通知するためハンドオーバ指示応答を基地局２−２へ送出する（ステップＳ１８）。図５−２は、基地局２−１がハンドオーバ実施を判定した時点で移動機３への送信が完了していないシーケンス番号が＃５７〜＃５９のデータパケットを基地局間転送する一方で、基地局制御装置１が引き続き移動機３宛のデータパケットを基地局２−１へ送信している様子の一例を示している。【００３９】
基地局間転送パケットを受信した基地局２−２ではハンドオーバ制御部２４−２が移動機３から受信した前記ハンドオーバ指示応答を契機として移動機３への無線データ送信が可能となったことを認識し、データ受信部２１−２内のバッファ２１１に保持している基地局間転送パケットをシーケンス番号順に移動機３へ送信する。【００４０】
以上のような、基地局２−１と基地局２−２との間で行われるデータパケットの転送は、上記ステップＳ１８において基地局２−２のハンドオーバ制御部２４−２がハンドオーバ指示応答メッセージを受信後、基地局制御装置１へ経路切替要求メッセージを送信し（ステップＳ１９）、さらに、この経路切替要求メッセージを受信した基地局制御装置１の経路切替制御部１２からデータ送信経路を基地局２−１から基地局２−２へ切り替えるように指示を受けたデータ送信部１１が伝送経路を切り替え（ステップＳ２０）、移動機３宛のデータパケットであって、基地局２−１へ送信にされた最後のデータパケットが基地局２−１から基地局２−２へ最終基地局間転送パケットとして転送されるまで継続する。図５−３は、基地局２−２が最初の基地局間転送パケット（シーケンス番号が＃５７のデータパケット）から順番に移動機３への送信を開始後、最終基地局間転送パケットとなるシーケンス番号が＃１のデータパケットが転送された時点で上記ステップＳ２０の処理が完了して伝送経路が切り替わり、基地局制御装置１はシーケンス番号が＃２のデータパケットから基地局２−２への直接送信を開始する様子を示している。【００４１】
上記ステップＳ２０が実行されて伝送経路が切り替わってからしばらくの間は、基地局２−２のデータ受信部２１−２には基地局間転送パケットと基地局制御装置１から直接受信したデータパケットの両方が受信された順に格納される。この際に格納される順序は基地局間でパケットを転送する際の処理時間の影響によって基地局制御装置１が送信した順序（すなわちデータパケットに付与されているシーケンス番号の順序）と同じになるとは限らない。このような場合の一例として、図５−４は、基地局２−２における受信データパケットが、シーケンス番号が＃２、＃６３、＃０、＃３、＃４、＃１の順で到着し、データ受信部２１−２に格納された様子を示している。【００４２】
そのため基地局２−２では、最終基地局間転送パケットが移動機３へ送信されるまでの間は基地局制御装置１から直接受信したデータパケットの送信が保留され、基地局間転送パケットがシーケンス番号順に移動機３へ送信される。図５−５は、基地局２−２が基地局制御装置１から直接受信した最初のデータパケットのシーケンス番号が＃２であり、シーケンス番号が＃１の基地局間転送パケットが送信されるまでシーケンス番号が＃２〜＃４のデータパケットの送信が保留されている様子を示している。【００４３】
基地局２−２は、基地局制御装置１から直接受信したデータパケットのシーケンス番号より一つ前のシーケンス番号が付与されている基地局間転送パケットを移動機３へ送信すると全ての基地局間転送パケットの読み出しが完了したと認識する。そして、基地局制御装置１から直接受信したデータパケットの送信保留を解除し、移動機３への送信を開始する。図５−６は、基地局制御装置１からシーケンス番号が＃２のデータパケットを受信した状態において、シーケンス番号が＃１の基地局間転送パケットの送信を完了したため基地局制御装置１から受信したデータパケットを送信可能となったと認識し、基地局制御装置１から直接受信したデータパケットの送信を開始する様子を示している。【００４４】
このように、本実施の形態においては、ハンドオーバ先基地局が基地局制御装置から直接受信した最初のデータパケットに付与されているシーケンス番号と基地局間転送パケットに付与されているシーケンス番号を比較することによって最終基地局間転送パケットを識別し、最終基地局間転送パケットを識別した場合には、すべての基地局転送パケットを移動機へ送信したと判断して基地局制御装置から直接受信したデータパケットの移動機への送信を開始するよう動作する構成とした。これにより、従来のハンドオーバ方法において必要であった、ハンドオーバ先基地局において実行する処理である基地局間転送されたデータパケットが通知用パケット（最終基地局間転送パケットを特定するための情報を格納したパケット）か否かの識別処理が不要となるので、回路規模の増大を抑えつつハンドオーバ実行時の処理遅延を削減することができる。【００４５】
実施の形態２．
つづいて、実施の形態２について説明する。図６は、本発明にかかる実施の形態２の無線アクセスネットワークを構成する各装置の構成例とデータ伝送経路を示す図であり、図内の点線はハンドオーバ後のデータ伝送経路を示すものである。なお、図６において上述した実施の形態１の無線アクセスネットワークを構成する各装置または構成要素（図２参照）と同じ動作を行うものについては、同じ符号を付してその詳細説明を省略する。また、図７−１および７−２は、実施の形態２の無線アクセスネットワークにおけるハンドオーバ実行時のデータパケットの送信動作を説明するための図である。【００４６】
図６に示したように、実施の形態２の基地局制御装置１ａは、実施の形態１の基地局制御装置１１のデータ送信部１１をデータ送信部１１ａへ置き換えたものである。また、基地局２ａ−１および２ａ−２は、実施の形態１の基地局２−１および２−２の読出制御部を読出制御部２２ａ−１，２２ａ−２へ置き換えたものである。移動機３の構成は実施の形態１で示したものと同じである。【００４７】
実施の形態２の無線アクセスネットワークにおいて移動機がハンドオーバを実行する場合の各部の動作について図６，図７−１および７−２を用いて説明する。なお、上記実施の形態１の場合と同様に、図１に示した無線アクセスネットワークにおいて基地局２−１配下（セル４−１）に収容された移動機３が基地局２−２配下（セル４−２）へ移動する場合のハンドオーバ動作を説明する。【００４８】
図６において、基地局制御装置１ａのデータ送信部１１ａは、経路切替制御部１２がハンドオーバ先基地局である基地局２ａ−２から経路切替要求メッセージを受信するまで基地局２ａ−１へのデータ送信を継続する。移動機３から受信した無線品質情報に基づいて、ハンドオーバ元基地局である基地局２ａ−１が基地局２ａ−２へのハンドオーバ実施を決定すると、基地局２ａ−１および２ａ−２と移動機３は、上記実施の形態１において示した手順（図４参照）でハンドオーバ処理を実行する。このとき、基地局制御装置１ａにおいては、基地局２ａ−２から経路切替要求メッセージを受信し、これに伴い経路切替制御部１２が伝送経路を切り替えると、データ送信部１１ａは、その時点で最後に基地局２ａ−１へ送信していたデータパケットと同じデータパケットをハンドオーバ先基地局である基地局２ａ−２へ最初に送信する。【００４９】
図７−１および７−２は、この時のデータパケット転送の様子を示している。図７−１は、基地局２ａ−１がハンドオーバ実施を判定した時点で移動機３への送信が完了していないシーケンス番号が＃５７以降のデータパケットを基地局間転送する一方で、基地局制御装置１ａが引き続き移動機３宛のデータパケットを基地局２ａ−１へ送信している様子を示している。また図７−２は、基地局２ａ−２が最初の基地局間転送パケット（シーケンス番号が＃５７のデータパケット）から順番に移動機３への送信を開始後、基地局２ａ−１が最終基地局間転送パケットとなるシーケンス番号が＃１のデータパケットを転送した時点で伝送経路が切り替わり、基地局制御装置１ａが、基地局２ａ−１へ最後に送信したシーケンス番号が＃１のデータパケット（＝最終基地局間転送パケット）と同じデータパケットを基地局２ａ−２へ送信後、これに続くシーケンス番号が＃２以降のデータパケットを基地局２ａ−２へ直接送信する様子を示している。【００５０】
一方、基地局２ａ−１においてハンドオーバ実施が判定されて、基地局制御装置１ａでの伝送経路切替が実行されると、ハンドオーバ先基地局である基地局２ａ−２では基地局２ａ−１からの基地局間転送パケットと基地局制御装置１ａから直接受信したデータパケットがデータ受信部２１−２に格納される。この際に格納される順序は基地局間でパケットを転送する際の処理時間の影響によって基地局制御装置１ａが送信した順序（すなわちデータパケットに付与されているシーケンス番号の順序）と同じになるとは限らない。そのため、読出制御部２２ａ−２は、データパケットの順序逆転を防止するため基地局間転送パケットを先に読み出すよう動作し、データパケットに付与されているシーケンス番号に基づいて全ての基地局間転送パケットの読み出しが完了したことを認識すると基地局制御装置１ａから直接受信したデータパケットの読み出しを開始する。【００５１】
基地局２ａ−２におけるデータパケットの順序逆転を防止するための動作を具体的に示すと、読出制御部２２ａ−２は、データ受信部２１１−２のシーケンス番号管理部２１２が管理している情報を参照し、基地局制御装置１ａから直接受信した最初のデータパケット（すなわちハンドオーバ元の基地局２ａ−１へ最後に送信されたものと同じデータパケット）に付与されているシーケンス番号と基地局間転送パケットに付与されているシーケンス番号とを比較する。比較の結果、同じシーケンス番号を検出した場合にこの基地局間転送パケットを最終基地局間転送パケットであると判断する。読出制御部２２ａ−２は、最終基地局間転送パケットと判断した基地局間転送パケットを無線送信部２３−２へ渡すと全ての基地局間転送パケットの読み出しが完了したと認識する。そして、基地局制御装置１ａから直接受信したデータパケットの読み出し動作を開始する。このとき、基地局制御装置１ａから最初に直接受信したシーケンス番号が＃１のデータパケットはバッファ２１１から読み出した際に廃棄し、シーケンス番号が＃２以降のデータパケットを基地局制御装置１ａから受信した順に読み出し、無線送信部２３−２へ渡す。無線送信部２３−２は読出制御部２２ａ−２から受け取ったデータパケットを移動機３へ送信する。【００５２】
このように、本実施の形態においては、ハンドオーバ先基地局が基地局制御装置から直接受信した最初のデータパケットに付与されているシーケンス番号と基地局間転送パケットに付与されているシーケンス番号とを比較し、同じシーケンス番号を検出した場合にこの基地局間転送パケットを最終基地局間転送パケットであると識別し、最終基地局間転送パケットを識別した場合には、すべての基地局転送パケットを移動機へ送信したと判断して基地局制御装置から直接受信したデータパケットの移動機への送信を開始するよう動作する構成とした。これにより、従来のハンドオーバ方法において必要であった、ハンドオーバ先基地局において実行する処理である基地局間転送されたデータパケットが通知用パケット（最終基地局間転送パケットを特定するための情報を格納したパケット）か否かの識別処理が不要となるので、回路規模の増大を抑えつつハンドオーバ実行時の処理遅延を削減することができる。【００５３】
実施の形態３．
つづいて、実施の形態３について説明する。図８は、本発明にかかる実施の形態３の無線アクセスネットワークを構成する各装置の構成例とデータ伝送経路を示す図であり、図内の点線はハンドオーバ後のデータ伝送経路を示すものである。なお、図８において上述した実施の形態１の無線アクセスネットワークを構成する各装置または構成要素（図２参照）と同じ動作を行うものについては、同じ符号を付してその詳細説明を省略する。また、図９−１および９−２は、実施の形態３の無線アクセスネットワークにおけるハンドオーバ実行時のデータパケットの送信動作を説明するための図である。【００５４】
図８に示したように、実施の形態３の基地局制御装置１ｂは、実施の形態１の基地局制御装置１１のデータ送信部１１をデータ送信部１１ｂへ置き換えたものである。また、基地局２ｂ−１および２ｂ−２は、実施の形態１の基地局２−１および２−２の読出制御部２２−１，２２−２を読出制御部２２ｂ−１，２２ｂ−２へ置き換えたものである。移動機３の構成は実施の形態１で示したものと同じである。【００５５】
実施の形態３の無線アクセスネットワークにおいて移動機がハンドオーバを実行する場合の各部の動作について図８，図９−１および９−２を用いて説明する。なお、上記実施の形態１の場合と同様に、図１に示した無線アクセスネットワークにおいて基地局２−１配下（セル４−１）に収容された移動機３が基地局２−２配下（セル４−２）へ移動する場合のハンドオーバ動作を説明する。【００５６】
図８において、基地局制御装置１ｂのデータ送信部１１ｂは、経路切替制御部１２がハンドオーバ先基地局である基地局２ｂ−１から経路切替要求メッセージを受信するまで基地局２ｂ−１へのデータ送信を継続する。移動機３から受信した無線品質情報に基づいて、ハンドオーバ元基地局である基地局２ｂ−１が基地局２ｂ−２へのハンドオーバ実施を決定すると、基地局２ｂ−１および２ｂ−２と移動機３は、上記実施の形態１において示した手順（図４参照）でハンドオーバ処理を実行する。このとき、基地局制御装置１ｂにおいては、基地局２ｂ−２から経路切替要求メッセージを受信すると、まずデータ送信部１１ｂが、その時点で最後に基地局２ｂ−１へ送信していたデータパケットを所定回数再送する。基地局２ｂ−１への再送動作が終了すると、経路切替制御部１２が伝送経路を切り替える。そして、データ送信部１１ｂは、ハンドオーバ先基地局である基地局２ｂ−２へのデータパケット送信を開始する。【００５７】
図９−１および９−２は、この時のデータパケット転送の様子を示している。図９−１は、基地局２ｂ−１がハンドオーバ実施を判定した時点で移動機３への送信が完了していないシーケンス番号が＃５７以降のデータパケットを基地局間転送する一方で、基地局制御装置１ｂが引き続き移動機３宛のデータパケットを基地局２ｂ−１へ送信し、経路切替要求メッセージを受信した時点で最後に基地局２ｂ−１へ送信していたデータパケット（シーケンス番号が＃１のデータパケット）を予め設定された数だけ複製し基地局２ｂ−１へ送信（再送）している様子を示している。また図９−２は、基地局２ｂ−２が最初の基地局間転送パケット（シーケンス番号が＃５７のデータパケット）から順番に移動機３への送信を開始後、最終基地局間転送パケットとなるシーケンス番号が＃１のデータパケットが基地局２ｂ−１から転送された後に伝送経路が切り替わり、基地局制御装置１ｂがシーケンス番号が＃２のデータパケットから基地局２ｂ−２への直接送信を開始する様子を示している。【００５８】
一方、基地局２ｂ−１においてハンドオーバ実施が判定され、基地局制御装置１ｂでの伝送経路切替が実行されると、ハンドオーバ先基地局である基地局２ｂ−２では基地局２ｂ−１からの基地局間転送パケットと基地局制御装置１ｂから直接受信したデータパケットがデータ受信部２１−２に格納される。この際に格納される順序は基地局間でパケットを転送する際の処理時間の影響によって基地局制御装置１ｂが送信した順序（すなわちデータパケットに付与されているシーケンス番号の順序）と同じになるとは限らない。そのため、読出制御部２２ｂ−２は、データパケットの順序逆転を防止するため基地局間転送パケットを先に読み出すよう動作し、データパケットに付与されているシーケンス番号に基づいて全ての基地局間転送パケットの読み出しが完了したことを認識すると基地局制御装置１ｂから直接受信したデータパケットの読み出しを開始する。なお、データ受信部２１−２が最終基地局間転送パケットを複数保持している場合、読出制御部２２ｂ−２は、いずれかの最終基地局間転送パケットを読み出せばよい。【００５９】
基地局２ｂ−２におけるデータパケットの順序逆転を防止するための動作を具体的に示すと、読出制御部２２ｂ−２は、データ受信部２１１−２のシーケンス番号管理部２１２が管理している情報を参照して基地局間転送パケットに付与されているシーケンス番号を確認する。確認の結果、同じシーケンス番号が付与されている基地局間転送パケットが複数存在していれば、この同じシーケンス番号が付与されているものを最終基地局間転送パケットであると判断する。読出制御部２２ｂ−２は、最終基地局間転送パケットと判断した基地局間転送パケットを無線送信部２３−２へ渡すと、読み出す必要のある全ての基地局間転送パケットの読み出しが完了したと認識する。そして、基地局制御装置１ｂから直接受信したデータパケットの読み出し動作を開始する。このとき、最終基地局間転送パケットと同じシーケンス番号（この場合＃１）が付与されたデータパケットはバッファ２１１から読み出した際に廃棄し、シーケンス番号が＃１以外のデータパケットをシーケンス番号の小さい順に（シーケンス番号が＃２のデータパケットから順番に）移動機３へ送信する。【００６０】
このように、本実施の形態においては、基地局制御装置がハンドオーバ元基地局へ送信した最後のデータパケットを所定回数再送し、ハンドオーバ先基地局において読出制御部が、データ受信部で管理されている基地局間転送パケットに付与されているシーケンス番号を参照し、複数の基地局間転送パケットで同じシーケンス番号を検出した場合にこの基地局間転送パケットを最終基地局間転送パケットであると識別し、最終基地局間転送パケットを識別した場合には、送信する必要のあるすべての基地局転送パケットを移動機へ送信したと判断して基地局制御装置から直接受信したデータパケットの移動機への送信を開始するよう動作する構成とした。これにより、従来のハンドオーバ方法において必要であった、ハンドオーバ先基地局において実行する処理である基地局間転送されたデータパケットが通知用パケット（最終基地局間転送パケットを特定するための情報を格納したパケット）か否かの識別処理が不要となるので、回路規模の増大を抑えつつハンドオーバ実行時の処理遅延を削減することができる。【００６１】
また、ハンドオーバ元基地局が最終基地局間転送パケットを複数送信することとなるので、転送中に最終基地局間転送パケットが欠落し、基地局制御装置から直接受信したデータパケットの送信開始タイミングを判定できなくなることを防止することができる。【００６２】
実施の形態４．
つづいて、実施の形態４について説明する。図１０は、本発明にかかる実施の形態４の無線アクセスネットワークを構成する各装置の構成例とデータ伝送経路を示す図であり、図内の点線はハンドオーバ後のデータ伝送経路を示すものである。なお、図１０において上述した実施の形態１の無線アクセスネットワークを構成する各装置または構成要素（図２参照）と同じ動作を行うものについては、同じ符号を付してその詳細説明を省略する。【００６３】
図１０に示したように、実施の形態４の基地局（基地局２ｃ−１および２ｃ−２）は、実施の形態１の基地局２−１および２−２のデータ受信部２１−１，２１−２および読出制御部２２−１，２２−２を、それぞれデータ受信部２１ｃ−１，２１ｃ−２および読出制御部２２ｃ−１，２２ｃ−２へ置き換えたものである。基地局制御装置１および移動機３の構成は実施の形態１で示したものと同じである。【００６４】
また、図１１は実施の形態４の基地局を構成するデータ受信部（データ受信部２１ｃ−１，２１ｃ−２）の内部構成例を示す図である。このデータ受信部は、図３に示した実施の形態１のデータ受信部に対してタイマ管理部２１３を追加した構成をとる。なお、他の構成については実施の形態１のデータ受信部と同様であるため、同一の符号を付してその説明を省略する。タイマ管理部２５３は、基地局制御装置１から最初に直接受信したデータパケットの到着時刻より計時を開始し、基地局間転送パケットを受信するまで計時を継続し、予め設定された時間が経過した場合に満了するようにタイマを管理する。なお、基地局間転送パケットを受信する毎にタイマをリセットする。また、計時開始から最初の基地局間転送パケットを受信するまでの計時時間（タイマが満了するまでの時間）と、一旦リセットした後、次の基地局間転送パケットを受信するまでの計時時間とを同じにする必要はなく、これらの計時時間を異なる長さにしてもよい。【００６５】
次に、実施の形態４の無線アクセスネットワークにおいて移動機がハンドオーバを実行する場合の各部の動作について図１０および図１１を用いて説明する。なお、上記実施の形態１の場合と同様に、図１に示した無線アクセスネットワークにおいて基地局２−１配下（セル４−１）に収容された移動機３が基地局２−２配下（セル４−２）へ移動する場合のハンドオーバ動作を説明する。【００６６】
図１０において、基地局制御装置１ｃのデータ送信部１１ｃは、経路切替制御部１２が基地局２ｃ−１から経路切替要求メッセージを受信するまで基地局２ｃ−１へのデータ送信を継続する。移動機３から受信した無線品質情報に基づいて、ハンドオーバ元基地局である基地局２ｃ−１が基地局２ａ−２へのハンドオーバ実施を決定すると、基地局２ｃ−１および２ｃ−２と移動機３は、上記実施の形態１において示した手順（図４参照）でハンドオーバ処理を実行する。そして、基地局制御装置１での伝送経路切替が実行されると、ハンドオーバ先基地局である基地局２ｃ−２では受信部２１ｃ−２が基地局２ｃ−１から転送された基地局間転送パケットおよび基地局制御装置１ｂから直接送信されたデータパケットを受信し、受信したパケットを内部のバッファ２１１へ格納することにより保持しておく。【００６７】
このときデータ受信部２１ｃ−２ではシーケンス番号管理部２１２が受信したデータパケットのシーケンス番号をバッファ２１１内での格納位置と共に記憶し、さらにタイマ管理部２５３は基地局制御装置１から最初のデータパケットを直接受信した場合にタイマの計時を開始する。この計時は次の基地局間転送パケットを受信するまで、または所定時間が経過するまで継続し、所定時間が経過した場合（タイマが満了した場合）には計時を終了する。また、所定時間が経過する前に次の基地局間転送パケットを受信した場合にはタイマを初期化する。初期化後は、さらに次の基地局間転送パケットを受信するまで、または所定時間が経過するまで計時を行い、以降、同様の動作をタイマが満了するまで継続する。【００６８】
また、この際データパケットがデータ受信部２１ｃ−２へ格納される順序は基地局間でパケットを転送する際の処理時間の影響によって基地局制御装置１が送信した順序（シーケンス番号順）と同じになるとは限らない。そのため、読出制御部２２ｃ−２は、データパケットの順序逆転を防止するため基地局間転送パケットを先に読み出すよう動作し、データパケットに付与されているシーケンス番号に基づいて全ての基地局間転送パケットの読み出しが完了したことを認識すると基地局制御装置１から直接受信したデータパケットの読み出しを開始する。【００６９】
ここで読出制御部２２ｃ−２は、シーケンス番号管理部２１２が管理している情報を参照して基地局制御装置１から直接受信した最初のデータパケットに付与されているシーケンス番号と基地局間転送パケットに付与されているシーケンス番号とを比較する。比較を行った結果、基地局制御装置１から直接受信した最初のデータパケットに付与されているシーケンス番号より一つ前のシーケンス番号を検出した場合にこの基地局間転送パケットを最終基地局間転送パケットであると判断する。読出制御部２２ｃ−２は、最終基地局間転送パケットと判断した基地局間転送パケットを無線送信部２３−２へ渡すと全ての基地局間転送パケットの読み出しが完了したと認識する。そして、基地局制御装置１から直接受信したデータパケットの読み出し動作を開始する。【００７０】
また、読出制御部２２ｃ−２はタイマ管理部２５３が管理しているタイマの状態を定期的に監視する。監視の結果、基地局間転送パケットを受信することなく所定時間が経過した（タイマが満了した）ことを検出した場合、全ての基地局間転送パケットの読み出しが完了したと判断して基地局制御装置１から直接受信したデータパケットの送信を開始するよう動作する。このように動作することにより、たとえば最終基地局間転送パケットが欠落し、基地局制御装置１から直接受信したデータパケットの送信開始タイミングを最終基地局間転送パケットの受信により判定することができない場合であっても基地局制御装置１から直接受信したデータパケットの送信を開始することが可能となる。【００７１】
このように、本実施の形態において、ハンドオーバ先基地局は、上述した実施の形態１のハンドオーバ先基地局と同様にハンドオーバ先基地局が基地局制御装置から直接受信した最初のデータパケットに付与されているシーケンス番号と基地局間転送パケットに付与されているシーケンス番号を比較した結果に基づいて、基地局制御装置から直接受信したデータパケットの移動機への送信を開始するか否かを判断しつつ、基地局制御装置から最初にデータパケットを直接受信してから所定時間内に基地局間転送パケットを受信したかどうか、および基地局間転送パケットを受信してから所定時間内に次の基地局間転送パケットを受信したかどうかを監視し、所定時間内に基地局間転送パケットを受信しなかった場合にも、基地局制御装置から直接受信したデータパケットの移動機への送信を開始するよう動作する構成とした。これにより、実施の形態１の構成とした場合に得られる効果に加えて、転送中に最終基地局間転送パケットの欠落などにより基地局制御装置から直接受信したデータパケットの送信開始タイミングを判定できなくなった場合でも基地局制御装置から直接受信したデータパケットの送信開始タイミングを決定することができる、という効果が得られる。【００７２】
また、ハンドオーバ先基地局は、ハンドオーバ元基地局から転送されるべきデータパケットが存在しない場合であっても、基地局制御装置から直接受信したデータパケットの送信開始タイミングを決定することができる。【００７３】
なお、本実施の形態においては実施の形態１の基地局が備えるデータ受信部に対してタイマ管理部を追加した場合の動作について説明を行ったが、実施の形態２または３の基地局が備えるデータ受信部に対してタイマ管理部を追加し、実施の形態２または３において示した条件に加え、タイマ満了を検出した場合にも基地局制御装置から直接受信したデータパケットを送信開始するようにしてもよい。【００７４】
なお、上述した実施の形態１〜４では、移動機から受信した無線品質情報に基づいて基地局がハンドオーバ実行要否の判定を行う場合の動作例について説明したが、このハンドオーバ判定機能を基地局ではなくその上位ノードである基地局制御装置に持たせ、ハンドオーバ実行判定時には基地局制御装置から基地局へハンドオーバの実行を指示する構成であっても本発明は適用可能である。
【産業上の利用可能性】
【００７５】
以上のように、本発明にかかる基地局は、データパケットを伝送する無線通信に有用であり、特に、ハンドオーバ発生時にハンドオーバ元基地局がハンドオーバを行った移動機宛のユーザデータパケットをハンドオーバ先基地局へ転送する無線通信システムの基地局に適している。
【図１】
2008065823.tif 000003
【図２】
2008065823.tif 000004
【図３】
2008065823.tif 000005
【図４】
2008065823.tif 000006
【図５−１】
2008065823.tif 000007
【図５−２】
2008065823.tif 000008
【図５−３】
2008065823.tif 000009
【図５−４】
2008065823.tif 000010
【図５−５】
2008065823.tif 000011
【図５−６】
2008065823.tif 000012
【図６】
2008065823.tif 000013
【図７−１】
2008065823.tif 000014
【図７−２】
2008065823.tif 000015
【図８】
2008065823.tif 000016
【図９−１】
2008065823.tif 000017
【図９−２】
2008065823.tif 000018
【図１０】
2008065823.tif 000019
【図１１】
2008065823.tif 000020
【国際調査報告】
2008065823.tif 000021
2008065823.tif 000022
2008065823.tif 000023
2008065823.tif 000024